(57)【要約】【課題】簡易な構成であって凝縮器の支持、圧縮機の放熱処理、雨水対策の所要の機能を有する冷凍装置の屋外機を得る。【解決手段】横断面溝形の支持柱体７を台枠１の両縁部に立設して凝縮器４を支持し、簡易な構成によって凝縮器４を支持して製作費を節減する。また、凝縮器４に滴下した雨水が支持柱体７の筒状空所６を経て台枠１に流下するので、滴下した雨水が機械室３内に飛散することがなく、機械室内の全体を雨水対策構造体とする必要がなく製作費を節減する。さらに、機械室３内の空気を支持柱体７下端部の挿通空所８、筒状空所６を経て外部に排気する。したがって、簡易な構成によって凝縮器４の支持、圧縮機２の放熱処理、雨水の機械室３内飛散防止の所要の機能を有する冷凍装置の屋外機を実現し製作費を低減する。【選択図】        図２
2004293867.tif 000002
【特許請求の範囲】
【請求項１】
台枠と、この台枠に設置された圧縮機と、上記台枠を床面として形成された機械室と、この機械室外の上側に配置されて上記圧縮機に接続管によって接続され、上記圧縮機で圧縮された冷媒ガスを凝縮する凝縮器と、横断面が筒状に形成されて上記台枠から立設され上端が上記機械室よりも上方に配置され、上記台枠の平面における互いに対向した縁部にそれぞれ配置されて上端側が上記凝縮器に締結され、かつ上記機械室内における外面に設けられた挿通空所に上記接続管が挿通されて上記筒状空所内に配管された支持柱体とを備えた冷凍装置の屋外機。
【請求項２】
台枠と、この台枠に設置された圧縮機と、上記台枠を床面として形成された機械室と、この機械室外の上側に配置されて上記圧縮機に接続管によって接続され、上記圧縮機で圧縮された冷媒ガスを凝縮する凝縮器と、横断面が筒状に形成されて上記台枠から立設され上端が上記機械室よりも上方に配置され、上記台枠の平面における互いに対向した縁部にそれぞれ配置されて上端側が上記凝縮器に締結された支持柱体と、この支持柱体の上記機械室内における筒状部に設けられた換気孔の上縁部に上端部が水密状態に装着され、下端は上記筒状空所内において上記換気孔から離れる方向に傾斜して配置された水切り板とを備えた冷凍装置の屋外機。
【発明の詳細な説明】
【０００１】
【発明の属する技術分野】
この発明は、圧縮機、凝縮器及び送風機並びにこれら機器の付属機器が組み付けられてユニット化された冷凍装置の屋外機に関する。
【０００２】
【従来の技術】
従来の冷凍装置の屋外機においては、台枠に少なくとも一台の圧縮機が設置され、また台枠を床面として機械室が形成される。そして、機械室外の上側に凝縮器が配置されて圧縮機に接続管によって接続され、圧縮機で圧縮された冷媒ガスが凝縮器によって凝縮される。また、台枠の平面における四隅に立設された柱構造体によって凝縮器が支持される。
【０００３】
従来の冷凍装置の屋外機は上記のように構成され、凝縮器と圧縮機を接続する接続管の配管箇所から雨水が機械室に侵入し易いため、機械室内の全体が雨水対策構造体に製作される。また、機械室内の全体を雨水対策構造体としない場合には接続管の配管箇所を完全に塞ぐ構造とし、このときには圧縮機からの放熱による機械室内の温度上昇を抑制するために排熱用ファンが装備される。（類似形態の冷凍装置の屋外機として、例えば特許文献１参照）。
【０００４】
【特許文献１】
特開平１１−１４２０１９号公報（第１頁、図１２〜図１４）
【０００５】
【発明が解決しようとする課題】
従来の冷凍装置の屋外機では、凝縮器を柱構造体によって支持する構造であるので、柱構造体を凝縮器による負荷に対応した強度とするために製作費が嵩むという問題点があった。また、機械室内の全体を雨水が侵入しない構造としたり、さもない場合には排熱用ファンを装備したりするために製作費が嵩むという問題点があった。
【０００６】
この発明は、かかる問題点を解消するためになされたものであり、簡易な構成であって凝縮器の支持、圧縮機の放熱処理、雨水対策の所要の機能を有する冷凍装置の屋外機を得ることを目的とする。
【０００７】
【課題を解決するための手段】
この発明に係る冷凍装置の屋外機においては、台枠と、この台枠に設置された圧縮機と、台枠を床面として形成された機械室と、この機械室外の上側に配置されて圧縮機に接続管によって接続され、圧縮機で圧縮された冷媒ガスを凝縮する凝縮器と、横断面が筒状に形成されて台枠から立設され上端が機械室よりも上方に配置され、台枠の平面における互いに対向した縁部にそれぞれ配置されて上端側が凝縮器に締結され、かつ機械室内における外面に設けられた挿通空所に接続管が挿通されて筒状空所内に配管された支持柱体とが設けられる。
【０００８】
【発明の実施の形態】
実施の形態１．
図１〜図５は、この発明の実施の形態の一例を示す図で、図１は屋外機を概念的に示す正面図、図２は図１の側面図、図３は図１のＡ−Ａ線断面拡大図、図４は図１の斜視図、図５は図１に対して図４とは反対側から見た斜視図である。図において、台枠１に圧縮機２が設置されて台枠１を床面として壁面及び天井を有する機械室３が形成される。また、側面においてＶ字状をなす凝縮器４が機械室３外の上側に配置される。
【０００９】
また、凝縮器４は後述する接続管５によって圧縮機２に接続され、圧縮機２で圧縮された冷媒ガスを凝縮する。そして、横断面溝形をなし機械室３の壁板とによって筒状中空部、すなわち筒状空所６を形成した支持柱体７が、台枠１から立設され上端が機械室３よりも上方に配置され、台枠１の平面における互いに対向した縁部にそれぞれ配置されて上端側に凝縮器４が締結される。
【００１０】
また、接続管５が機械室３内から支持柱体７の下端部における機械室３内に形成された挿通空所８に挿通されて筒状空所６内に配管される。そして、支持柱体７の上端部寄りにおける機械室３内に換気孔９が設けられて、換気孔９の上縁部に水切り板１０の上端が水密状態に装着され、下端が筒状空所６内において換気孔９から離れる方向に傾斜して配置される。また、台枠１面に複数個の吸気孔１１が設けられ、凝縮器４の上部には送風機１２が装備されると共に、凝縮器４の外面には保護網１３が設けられる。
【００１１】
上記のように構成された冷凍装置の屋外機において、圧縮機２が運転されて冷媒ガスが圧縮され接続管５を経て凝縮器４に流入し、送風機１２からの送風によって圧縮された冷媒ガスが凝縮する。そして、台枠１の両縁部に立設されて機械室３の天井を貫通した横断面溝形の支持柱体７によって凝縮器４が支持される。このため、簡易な構成によって凝縮器４を支持するための所要の強度を容易に得ることができ製作費を節減することができる。
【００１２】
また、機械室３の壁板とによって筒状空所６を形成した支持柱体７が設けられるで、凝縮器４に滴下した雨水が筒状空所６を経て台枠１に流下する。このため、凝縮器４に滴下した雨水が機械室３内に飛散することがなく、機械室３内の全体を雨水対策構造体としたり、さもない場合に排熱用ファン（図示しない）を装備したりする費用を省くことができる。
【００１３】
さらに、送風機１２の動作によって台枠１面の吸気孔１１から外部空気が吸気され、機械室３内の空気が支持柱体７の下端部に形成された挿通空所８、筒状空所６を経て外部に排気される。さらに、支持柱体７の換気孔９によっても機械室３内の空気が外部に排気される。これによって、圧縮機２を冷却し圧縮機２に発生した熱気を機械室３内の空気とともに、凝縮器４の冷却用の送風機１２の動作によって外部に排気することができる。
【００１４】
したがって、簡易な構成によって凝縮器４の支持、圧縮機２の放熱処理、凝縮器４に滴下した雨水の機械室３内飛散防止の所要の機能を有する冷凍装置の屋外機を実現することができて製作費を低減することができる。
なお、支持柱体７の換気孔９には水切り板１０が設けられているので、凝縮器４に滴下した雨水が筒状空所６を経て台枠１に流下する。このため、凝縮器４に滴下した雨水が支持柱体７の換気孔９から機械室３内に飛散することを防ぐことができる。
【００１５】
実施の形態２．
図６は、この発明の他の実施の形態の一例を示す図で、凝縮器を支持した支持柱体を前述の図１に示す矢印Ｂから見た図に相当する拡大図である。なお、図６の他は前述の図１〜図５と同様に冷凍装置の屋外機が構成されている。図において、図１〜図５と同符号は相当部分を示し、支持柱体７の横断面溝形における溝形の一側の側壁に換気孔１４が設けられ、また換気孔１４の上縁部に水切り板１５の上端が水密状態に装着され、下端が筒状空所６内において換気孔１４から離れる方向に傾斜して配置される。
【００１６】
上記のように構成された冷凍装置の屋外機においても、台枠１の両縁部に立設されて機械室３の天井を貫通した横断面溝形の支持柱体７によって凝縮器４が支持される。また、凝縮器４に滴下した雨水が筒状空所６を経て台枠１に流下する。さらに、送風機１２によって吸気孔１１から外部空気が吸気され、支持柱体７の挿通空所８、筒状空所６を経て外部に排気され、また支持柱体７の換気孔１４によっても外部に排気される。したがって、詳細な説明を省略するが図６の実施の形態においても図１〜図５の実施の形態と同様な作用が得られる。
【００１７】
実施の形態３．
図７も、この発明の他の実施の形態の一例を示す図で、前述の図３相当図である。なお、図７の他は前述の図１〜図５と同様に冷凍装置の屋外機が構成されている。図において、図１〜図５と同符号は相当部分を示し、横断面が半円形からなる溝形をなし機械室３の壁板とによって筒状中空部、すなわち筒状空所６を形成した支持柱体１６が、台枠１から立設され上端が機械室３よりも上方に配置され、台枠１の平面における互いに対向した縁部にそれぞれ配置されて上端側に凝縮器４が締結される。そして、接続管５が機械室３内から支持柱体１６の下端部に形成された挿通空所８に挿通されて筒状空所６内に配管される。
【００１８】
上記のように構成された冷凍装置の屋外機においても、台枠１の両縁部に立設され機械室３の天井を貫通した横断面半円形の溝形の支持柱体１６により凝縮器４が支持される。また、凝縮器４に滴下した雨水が筒状空所６を経て台枠１に流下する。さらに、送風機１２によって吸気孔１１から外部空気が吸気され、支持柱体１６の挿通空所８、筒状空所６を経て外部に排気され、また支持柱体１６の換気孔９によっても外部に排気される。したがって、詳細な説明を省略するが図７の実施の形態においても図１〜図５の実施の形態と同様な作用が得られる。
【００１９】
【発明の効果】
この発明は以上説明したように、台枠と、この台枠に設置された圧縮機と、台枠を床面として形成された機械室と、この機械室外の上側に配置されて圧縮機に接続管によって接続され、圧縮機で圧縮された冷媒ガスを凝縮する凝縮器と、横断面が筒状に形成されて台枠から立設され上端が機械室よりも上方に配置され、台枠の平面における互いに対向した縁部にそれぞれ配置されて上端側が凝縮器に締結され、かつ機械室内における外面に設けられた挿通空所に接続管が挿通されて筒状空所内に配管された支持柱体とを設けたものである。
【００２０】
これによって、台枠の両縁部に立設された横断面溝形の支持柱体によって凝縮器が支持されるので、簡易な構成によって凝縮器を支持するための所要の強度を容易に得ることができ製作費を節減する効果がある。また、凝縮器に滴下した雨水が支持柱体の筒状空所を経て台枠に流下する。このため、凝縮器に滴下した雨水が機械室内に飛散することがなく、機械室内の全体を雨水対策構造体としたり、さもない場合に排熱用ファンを装備したりする必要がなく製作費を節減する効果がある。さらに、機械室内の空気が支持柱体下端部の挿通空所、筒状空所を経て外部に排気される。したがって、簡易な構成によって凝縮器の支持、圧縮機の放熱処理、凝縮器に滴下した雨水の機械室内飛散防止の所要の機能を有する冷凍装置の屋外機を実現でき製作費を低減する効果がある。
【図面の簡単な説明】
【図１】この発明の実施の形態１を示す図で、屋外機を概念的に示す正面図。
【図２】図１の側面図。
【図３】図１のＡ−Ａ線断面拡大図。
【図４】図１の斜視図。
【図５】図１に対して図４とは反対側から見た斜視図。
【図６】この発明の実施の形態２を示す図で、凝縮器を支持した支持柱体を前述の図１に示す矢印Ｂから見た図に相当する拡大図。
【図７】この発明の実施の形態３を示す図で、前述の図３相当図。
【符号の説明】
１  台枠、２  圧縮機、３  機械室、４  凝縮器、５  接続管、６  筒状空所、７  支持柱体、８  挿通空所、９  換気孔、１０  水切り板、１４  換気孔、１５  水切り板、１６  支持柱体。
【図１】
2004293867.tif 000003
【図２】
2004293867.tif 000004
【図３】
2004293867.tif 000005
【図４】
2004293867.tif 000006
【図５】
2004293867.tif 000007
【図６】
2004293867.tif 000008
【図７】
2004293867.tif 000009